(57)【要約】 【課題】  ２つの天板支持脚間に上部フレームを配すことにより、幕板自体に加工を施すことなく薄い平板状の板材を幕板として使用することができる配線機能付き机を提供すること。【解決手段】  中央脚５とこの中央脚５の一側に配置された側脚の上端には上部フレーム２２が取付けられ、この上部フレーム２２に、コード挿通空間２０の上部開放部を閉塞する閉塞部材２５後端の上下と係合する閉塞部材係合部（２２ａ，２２ｃ）と、配線ダクト２６と係合する配線ダクト係合部２２ｄと、幕板８の上端縁と嵌合する幕板嵌合部２２ｂとを設けることで、幕板８に加工を施すことなくしかも幕板８を薄い平板状の板材で構成する。【選択図】  図５
2005137708.tif 000002
【特許請求の範囲】
【請求項１】
天板と幕板間にコード挿通空間を設けた配線機能付き机であって、幕板の上部天板側には２つの天板支持脚により取付けられた上部フレームを有し、該上部フレームは、コード挿通空間の上部開放部を閉塞する閉塞部材と係合する閉塞部材係合部と、コード挿通空間下方に設けた配線ダクトと係合する配線ダクト係合部と、前記幕板の上端縁と嵌合する下方に開口した溝条の幕板嵌合部とを設けたことを特徴とする配線機能付き机。
【請求項２】
前記閉塞部材係合部は、上部フレームの長さ方向に延びる天板側に開口した条溝で構成されている請求項１に記載の配線機能付き机。
【請求項３】
前記配線ダクト係合部は上部フレームの長さ方向に延びる上方に開口した条溝で構成されている請求項１または２に記載の配線機能付き机。
【請求項４】
前記幕板嵌合部は上部フレームの長さ方向に延びる下方に開口した条溝で構成されている請求項１ないし３の何れかに記載の配線機能付き机。
【請求項５】
前記上部フレームは、天板側に前記配線ダクト係合部を有した基体部と、該基体部から上方に延設された前記閉塞部材係合部を有した延設部から成り、該延設部の幕板側に幕板嵌合部を設けた請求項１ないし４の何れかに記載の配線機能付き机。
【請求項６】
前記上部フレームは軽量型鋼材で構成されている請求項１ないし５の何れかに記載の配線機能付き机。
【発明の詳細な説明】
【技術分野】
【０００１】
本発明は、天板を支持する脚の間に幕板を配設した幕板付き机に関する。
【背景技術】
【０００２】
従来の天板と幕板間にコード挿通空間を設けた配線機能付き机は、幕板の上部に例えば、コード挿通空間を覆う閉塞部材を設けるとともに、コード類を上方位置で束ねて支持させるために、コード挿通空間の下方に配線ダクトを設けている（特許文献１参照）。
【０００３】
【特許文献１】特開昭２００２−２８２０５０号公報（第５図）。
【発明の開示】
【発明が解決しようとする課題】
【０００４】
しかしながら、従来のこのような配線機能付き机の幕板は、閉塞部材や配線ダクトを取付けるための加工を施す必要があり、しかもコード類の重量が掛かるためにある程度の板厚を有する丈夫な板材を使用しなければならなかった。
【０００５】
本発明は、このような問題点に着目してなされたもので、２つの天板支持脚間に上部フレームを配すことにより、幕板自体に加工を施すことなく薄い平板状の板材を幕板として使用することができる配線機能付き机を提供することを目的とする。
【課題を解決するための手段】
【０００６】
上記の目的を解決するために、本発明の請求項１に記載の配線機能付き机は、天板と幕板間にコード挿通空間を設けた配線機能付き机であって、幕板の上部天板側には２つの天板支持脚により取付けられた上部フレームを有し、該上部フレームは、コード挿通空間の上部開放部を閉塞する閉塞部材と係合する閉塞部材係合部と、コード挿通空間下方に設けた配線ダクトと係合する配線ダクト係合部と、前記幕板の上端縁と嵌合する下方に開口した溝条の幕板嵌合部とを設けたことを特徴としている。
この特徴によれば、上部フレームが天板支持脚に取付けられているので、机自体が構造的に頑強で、かつ、上部フレームに閉塞部材や配線ダクトを取付ける係合部があるので、幕板に加工を施すことなくしかも幕板を薄い平板状の板材で構成できる。
【０００７】
本発明の請求項２に記載の配線機能付き机は、請求項１に記載の幕板付き机であって、前記閉塞部材係合部は、上部フレームの長さ方向に延びる天板側に開口した条溝で構成されていることを特徴としている。
この特徴によれば、閉塞部材を条溝に滑り込ませるだけで係合できるので、閉塞部材の取付が容易である。
【０００８】
本発明の請求項３に記載の配線機能付き机は、請求項１または２に記載の配線機能付き机であって、前記配線ダクト係合部は上部フレームの長さ方向に延びる上方に開口した条溝で構成されていることを特徴としている。
この特徴によれば、配線ダクトを上方より条溝に引っ掛けるだけで係合できるので、配線ダクトの取付が容易である。
【０００９】
本発明の請求項４に記載の配線機能付き机は、請求項１ないし３の何れかに記載の配線機能付き机であって、前記幕板嵌合部は上部フレームの長さ方向に延びる下方に開口した条溝で構成されていることを特徴としている。
この特徴によれば、幕板の上端縁は条溝に嵌合することで隠蔽されるので、直接目視されず見栄えがよい。
【００１０】
本発明の請求項５に記載の配線機能付き机は、請求項１ないし４の何れかに記載の配線機能付き机であって、前記上部フレームは、天板側に前記配線ダクト係合部を有した基体部と、該基体部から上方に延設された前記閉塞部材係合部を有した延設部から成り、該延設部の幕板側に幕板嵌合部を設けたことを特徴としている。
この特徴によれば、上部フレームを基体部と延設部に分けることにより、係合部や嵌合部を分散して形成でき、かつ例えば重量の掛かる基体部を厚く延設部を薄くして軽量化を図ることも可能である。
【００１１】
本発明の請求項６に記載の配線機能付き机は、請求項１ないし５の何れかに記載の配線機能付き机であって、前記上部フレームは軽量型鋼材で構成されていることを特徴としている。
この特徴によれば、例えば、上部フレームをアルミ等の型鋼材で構成することで、頑強で軽い机が構築できる。
【発明を実施するための最良の形態】
【００１２】
本発明の実施例を以下に説明する。
【実施例１】
【００１３】
本発明の実施例を図面に基づいて説明すると、先ず図1は本発明の実施例における配線機能付き机の斜視図、図２は配線の取出し状態を示した図１のＡ部拡大図、図３の（ａ）は膜板付き机の膜板を閉じた状態を示す側面図、（ｂ）は膜板付き机の膜板を下方に開放した状態を示す側面図、図４は図１のＢ−Ｂ断面図、図５は図１のＣ−Ｃ断面図、図６は図５の詳細図で（ａ）は幕板が上部位置にあり、（ｂ）は幕板が下部位置にある状態を示す。図７は脚間に取付けられる上部フレームの取付け状態を示す一部分解斜視図である。
【００１４】
図1に示すように、本発明の配線機能付き机１は、平面視Ｌ字形に形成された天板２と、この天板２の両端を支持する２本の側脚４ａ，４ｂと、これら２本の側脚４ａ，４ｂの中間にあって天板２の中央角部を支持する中央脚５と、この中央脚５と両側の側脚４ａ，４ｂの対向する側面に上下方向に形成された後述する縦条溝１６、１６（図４参照）に上下方向に摺動自在に支持され、上部または下部位置でこの両脚に固着される膜板６，８とから構成されている。
【００１５】
図４に示したように、膜板８の両端は、側脚４ａの縦条溝１６と中央脚５の縦条溝１６摺動可能に支持され、膜板８の両端は、膜板８の裏面に設けられた一対の舌片１８，１８を介して両側脚４ａ，５の対向する内側面にビスＢを介して固着されるようになっている。  したがって、幕板８を取付けた状態では、舌片１８，１８やビスＢは幕板により遮蔽されて外部から見えない。中央脚４ともう一つの側脚４ｂに対しても幕板６は同様の取付支持手段が採用されている。
【００１６】
また、図１に示すように、中央脚５と対向配置される側脚４ｂ間、及び中央脚５と対向配置される側脚４ａ間の上端にはアルミの引抜き材で成形された型鋼材である上部フレーム２２と２３が取付けられている。
【００１７】
図７には、上部フレーム２２の取付構造が示されており、側脚４ａ上端にブラケット３４が立設状態で取付けられている。すなわち、ブラケット３４は、このブラケット３４下端の差込部３４ｂが側脚４ａの上端開口から内挿され、この差込部３４ｂのネジ孔ｈに側脚４ａ上端側面に設けた上下の取付孔Ｈから挿通した２本のビスＢを螺着することで立設支持される。
【００１８】
詳しくは、これら上部フレーム２２，２３（ここでは、上方フレーム２２について述べる）は、図５に示すように、中央脚５の上端と、この中央脚５の上端に対し両側に配置されるそれぞれの側脚４ａ，４ｂ間の上端に取付けられるもので、天板２側に後述する配線ダクト係合部２２ｄを有した基体部Ｍと、この基体部Ｍから上方に延設された閉塞部材係合部２２ｄと幕板嵌合部２２ｂを有した延設部Ｅから成り、それぞれの脚５および４ａ，４ｂと同様にアルミの引抜き材等の中空断面を有する軽量型鋼で構成されている。
【００１９】
そして、立設支持されたブラケット３４の取付片３４ａには、上部フレーム２２の一端が取付けられるようになっている。すなわち、取付片３４ａにはネジ孔ｈが形成されており、この取付片３４ａは、上部フレーム２２の外側面に形成された段付き部２８ａ下方に凹設された当接面２８に当接させた状態で、上部フレーム２２の内側面から取付孔Ｈを介して挿通したビスＢを取付片３４ａに形成されたネジ孔ｈに螺着することで、上部フレーム２２の一端がブラケット３４を介して側脚４ａ上端に取付けられる。
【００２０】
同様に、上部フレーム２２の他端側も中央脚５の上端に立設支持された図示しないブラケットを介して取付けることができ、他方の上部フレーム２３も同様の取付構造により側脚４ｂに取付けられている。  
【００２１】
次に、上部フレームに付き図５を参照して詳述する。図５には、上部フレーム２２の断面図が示されており、脚側の基体部Ｍとこの基体部Ｍから上方に突出した延設部Ｅから成り、延設部Ｅ上端縁には内方に向けて開口しフレームの長さ方向に延びる係止溝２２ａが形成されると共に、係止溝２２ａ直下の内側には上方に向くフレームの長さ方向に延びる係止溝２２ｃが形成され、この両係止溝２２ａ，２２ｃでコード挿通空間２０の上方を塞ぐ閉塞部材２５の係合部を構成している。
【００２２】
また、延設部Ｅに形成された係止溝２２ａ直下には、下方に開口したフレームの長さ方向に延びる溝条２２ｂが形成され、幕板の上端縁と嵌合する幕板嵌合部を構成している。  一方基体部Ｍは、所定厚みの中空断面のフレームとして構成されており、段付き部２８ａ下部の当接面２８の対設する裏側には、断面コ字形の配線ダクト２６の係止部２６ａを係止するための上方が開口したフレームの長さ方向に延びる溝構成の配線ダクト係合部２２ｄが形成されている。
【００２３】
上記のように上部フレーム２２を構成することで、コード挿通空間２０の上方を塞ぐ閉塞部材２５は、その後端側に形成した上部係止部２５ａが係止溝２２ａに、下部係止部２５ｂが係止溝２２ｃにそれぞれ係止することで、天板２の外方端縁に沿って水平に保持されている。また、溝条２２ｂは、膜板８が上部位置にあるときに幕板の上縁部が嵌合できるようになっているので、膜板８の上縁部の目隠しとして機能している。
【００２４】
上部フレーム２２の当接面２８裏面に条溝として形成される配線ダクト係合部２２ｄには、断面コ字形の配線ダクト２６の上端縁に折曲形成された係止部２６ａが係止され、上部フレーム２２上端縁の外側面に形成される溝条２２ｂには、上部位置にある膜板８の上端が嵌合している。
【００２５】
また、配線機能付き机１は、図１および図５に示すように、天板２の両側端を支持する側脚４ａ，４ｂの上下両端には、上部天板支持枠１２と下部ベース枠体１０がそれぞれ平行に取付けられており、これら上部天板支持枠１２と下部ベース枠体１０の略中間部には支柱（図示せず）が取付けられている。そして、上部天板支持枠１２で天板２側端の下面を支持すると共に、下部ベース枠体１０は床面Ｆに載置されている。
【００２６】
次に、膜板の構成に付き図５、図６及び図７を参照して説明する。
【００２７】
膜板は、一方の側脚４ａと中央脚５の間に取付けられる膜板８と、他方の側脚４ｂと中央脚５の間に取付けられる膜板６とから成り、これら膜板６，８の上部裏面側には、図５に示すように、上部フレーム２２外側面に形成される段付き部２８ａの段差に対応するよう中空状に形成された所定厚みの補強フレーム２４が横方向に接合されており、補強フレーム２４の上端には上方に開口する配線ダクト係合部２４ａが形成されている。
【００２８】
幕板６と８は同じ構造であるのでここでは一方の幕板６について述べる。膜板６の両端は、中央脚５と側脚４ｂの対向する側面の縦条溝１６に上下に摺動可能に支持されており、膜板６両端の裏面に設けられる一対のブラケット６ａ（一方のみ図６に図示）の上下端部には一対の取付孔Ｈが所定間隔で配設されている。
【００２９】
これら一対の取付孔Ｈは、図６の（ａ），（ｂ）に示されるように、予め両脚の対向面の上下に所定間隔で形成された３個のネジ孔ｈの間隔に対応する間隔で形成されており、これら３個のネジ孔ｈの上部の２個は、膜板６が上部位置にきたときの膜板６のブラケット６ａに形成された２個の取付孔Ｈに対応し、下部の２個は、膜板６が下部位置にきたときの膜板６のブラケット６ａに形成された２個の取付孔Ｈに対応するようになっている。
【００３０】
次に、上記のように構成された配線機能付き机１における幕板の作用に付き説明する。
【００３１】
まず、図１に示されるように、幕板８を中央脚５と側脚４ａの対向する側面の縦条溝１６に沿って下部位置に移動し、両脚５，４ａに設けた下方に配設した２つのネジ孔ｈにビス固定される。これにより、図２に示されるように、配線コード３２を通過できる空間が大きく形成され、複数のコードが挿通可能となる。
【００３２】
そしてこの幕板８に対設して隣に幕板が上下できる机を設置した場合に、この設置した隣の机の幕板も同様に下方位置に下げて固定しておけば、配線コードは隣の机の天板下方に侵入させることができ、２つの机を密接させれば、配線コードの配線状態が視界から完全に遮断される。
【００３３】
一方、配線コード類を隣の机の方に導出しない場合には、幕板８を中央脚５と側脚４ａの対向する側面の縦条溝１６に沿って上部位置に移動させ、２個の取付孔Ｈを介して両脚５，４ａに設けた上方に配設した２つのネジ孔ｈにビス固定すればよい。これにより、幕板は完全に天板下部を隠蔽し本来の幕板機能を奏することになる。隣り合う机を幕板６側で対設するように配置した場合には、幕板８を上部位置にし両机の幕板６を下部位置に固定すれば、同様に配線コードの配線状態は視界から遮断できる。
【００３４】
そして、例えば膜板６を下方に移動したときは、上部フレーム２２裏面の配線ダクト係合部２２ｄに係止された配線ダクト２６を取り外し、図６（ｂ）に示した如く、膜板６裏面の補強フレーム２４に形成された配線ダクト係合部２４ａに係止する。このように配線ダクト２６を移設することで、天板下に取り入れた配線コード類を配線ダクト２６に保持させて足下が邪魔にならないように天板下の空間を整理することができる。幕板６が上方位置にある場合は、配線ダクト２６を上方フレーム２２の配線ダクト係合部２２ｄに係止し、天板上面側に導出するコード類を配線ダクト２６を介して上部位置で保持させることができる。
【００３５】
したがって、前記のように構成された配線機能付き机１によれば、上部フレーム２２（２３）にはコード挿通空間２０の上部開放部を閉塞する閉塞部材２５の上部係止部２５ａないし下部係止部２５ｂと係合する係止溝２２ａ，２２ｃからなる閉塞部材係合部と、幕板嵌合部２２ｂと、コード挿通空間２０の下方に設けた配線ダクト２６と係止する配線ダクト係合部２２ｄとが設けられているので、幕板に加工を施すことなくしかも幕板を薄い平板状の板材で構成できる。
【００３６】
また、上部フレーム２２（２３）の係止溝２２ａ，２２ｃを、上部フレーム２２および２３の長さ方向に延びる条溝で構成することで、閉塞部材２５を係止溝２２ａ，２２ｃに滑り込ませるだけで係合できるので、閉塞部材２５の取付が容易である。
【００３７】
更に、配線ダクト係合部２２ｄが、上部フレーム２２（２３）の長さ方向に延びる上方に開口した条溝で構成されているので、配線ダクト２６を上方より条溝に引っ掛けるだけで係合できるため配線ダクト２６の取付も容易である。
【００３８】
そして、溝条２２ｂが、上部フレーム２２（２３）の長さ方向に延びる下方に開口した条溝で構成されているので、幕板６（８）の上端縁を溝条２２ｂに嵌合することで隠蔽されるため見栄えが良い。
【００３９】
そしてまた、上部フレーム２２（２３）が、天板側に前記配線ダクト係合部２２ｄを有した基体部Ｍと、この基体部から上方に延設された閉塞部材係合部（係止溝２２ａ，２２ｃ）を有した延設部Ｅから成り、この延設部の幕板側に幕板嵌合部２２ｄを設けたので、た延設部Ｅとから構成とすることにより、係合部や嵌合部を分散して形成でき、且つ例えば重量の掛かる基体部Ｍを厚く延設部Ｅを薄くして軽量化を図ることも可能となる。更に、上部フレーム２２（２３）が、例えば、アルミの引抜き材等の中空断面を有する軽量型鋼で構成すれば、頑強で軽い机を構築することができる。
【００４０】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００４１】
【図１】本発明の実施例における配線機能付き机の斜視図である。
【図２】配線の取出し状態を示した図１のＡ部拡大図である。
【図３】（ａ）は配線機能付き机の膜板を閉じた状態を示す正面図、（ｂ）は配線機能付き机の膜板を下方に開放した状態を示す正面図である。
【図４】図１のＢ−Ｂ断面図である。
【図５】図１のＣ−Ｃ断面図である。
【図６】図５の詳細図で（ａ）は幕板が上部位置にあり、（ｂ）は幕板が下部位置にある状態を示す。
【図７】脚間に取付けられる上部フレームの取付け状態を示す一部分解斜視図である。
【符号の説明】
【００４２】
１                      配線機能付き机
２                      天板
４ａ，４ｂ              側脚
５                      中央脚
６，８                  幕板
６ａ                    ブラケット
１０                    下部ベース枠体
１２                    上部天板支持枠
１６                    縦条溝
２０                    コード挿通空間
２２，２３              上部フレーム
２２ａ，２２ｃ          係止溝（閉塞部材係合部）
２２ｂ                  溝条（幕板嵌合部）
２２ｄ                  配線ダクト係合部
２４                    補強フレーム
２４ａ                  配線ダクト係合部
２５                    閉塞部材
２５ａ                  上部係止部
２５ｂ                  下部係止部
２６                    配線ダクト
２６ａ                  係止部
２８                    当接面
２８ａ                  段付き部
３２                    配線コード
３４                    ブラケット
３４ａ                  取付片
３４ｂ                  差込部
Ｂ                      ビス
Ｅ                      延設部
Ｆ                      床面
Ｈ                      取付孔
ｈ                      ネジ孔
Ｍ                      基体部
【図１】
2005137708.tif 000003
【図２】
2005137708.tif 000004
【図３】
2005137708.tif 000005
【図４】
2005137708.tif 000006
【図５】
2005137708.tif 000007
【図６】
2005137708.tif 000008
【図７】
2005137708.tif 000009